(57)【要約】【課題】  編組スリーブと電線とが密着し且つ湾曲時に当該湾曲部の凹曲側の編目が開く事を防止できる編組スリーブ付き電線を提供する。【解決手段】  この編組スリーブ付き電線１は、電線３と、電線３に外装された金属性の編組スリーブ５とを備え、編組スリーブ５は、電線３の外周に被された状態で、電線３に沿ってその一端開口側からその他端開口側に向けてしごかれることにより収縮されて、電線３に外装される。【選択図】図１
2006324166.tif 000002
【特許請求の範囲】
【請求項１】
電線と、前記電線に外装された金属性の編組スリーブとを備えた編組スリーブ付き電線において、
前記編組スリーブは、前記電線の外周に被された状態で、前記電線に沿ってその一端開口側からその他端開口側に向けてしごかれることにより収縮されて、前記電線に外装されたことを特徴とする編組スリーブ付き電線。
【請求項２】
前記編組スリーブは、その拡径性開口側からその縮径性開口側に向けてしごかれたことを特徴とする請求項１に記載の編組スリーブ付き電線。
【請求項３】
電線への編組スリーブの外装方法であって、
前記編組スリーブを、前記電線の外周に被された状態で、前記電線に沿ってその一端開口側からその他端口側に向けてしごくことにより収縮させて、前記電線に外装することを特徴とする電線への編組スリーブの外装方法。
【請求項４】
前記編組スリーブを、その拡径性開口側からその縮径性開口側に向けてしごくことを特徴とする請求項３に記載の電線への編組スリーブの外装方法。
【発明の詳細な説明】
【技術分野】
【０００１】
本発明は、電線と該電線に外装された編組スリーブとを備えた編組スリーブ付き電線、および電線への編組スリーブの外装方法に関する。
【背景技術】
【０００２】
従来の編組スリーブ付き電線は、単に電線の外周に編組スリーブが被されることにより編組スリーブが電線に外装されていた。
【発明の開示】
【発明が解決しようとする課題】
【０００３】
従来の編組スリーブ付き電線では、編組スリーブが単に電線の外周に被されるだけなので、（１）編組スリーブと電線とが密着せず、これにより編組スリーブの電磁シールド性能が低下するという欠点や、また（２）当該編組スリーブ付き電線を湾曲させると、図２の様に編組スリーブ１０３の当該湾曲部の凸曲Ｐ２側では編組スリーブ１０３の編目は開かないが、図３の様に当該湾曲部の凹曲Ｐ１側では編組スリーブ１０３の編目が開き、これによっても編組スリーブの電磁シール性能が低下するという欠点があった。
【０００４】
そこで、この発明の課題は、編組スリーブと電線とが密着し且つ湾曲時に当該湾曲部の凹曲側の編目が開く事を防止できる編組スリーブ付き電線を提供することにある。
【課題を解決するための手段】
【０００５】
上記課題を解決する為に、請求項１に記載の発明は、電線と、前記電線に外装された金属性の編組スリーブとを備えた編組スリーブ付き電線において、前記編組スリーブは、前記電線の外周に被された状態で、前記電線に沿ってその一端開口側からその他端開口側に向けてしごかれることにより収縮されて、前記電線に外装されたものである。
【０００６】
請求項２に記載の発明は、前記編組スリーブは、その拡径性開口側からその縮径性開口側に向けてしごかれたものである。
【０００７】
請求項３に記載の発明は、電線への編組スリーブの外装方法であって、前記編組スリーブを、前記電線の外周に被された状態で、前記電線に沿ってその一端開口側からその他端口側に向けてしごくことにより収縮させて、前記電線に外装するものである。
【０００８】
請求項４に記載の発明は、前記編組スリーブを、その拡径性開口側からその縮径性開口側に向けてしごくものである。
【発明の効果】
【０００９】
請求項１および３に記載の発明によれば、編組スリーブは、電線の外周に被された状態で、前記電線に沿ってその一端開口側からその他端開口側に向けてしごかれることにより収縮されて、前記電線に外装されるので、（１）編組スリーブを電線に密着させる事ができると共に、（２）編組スリーブの編目を詰めた状態にでき、これにより湾曲時に当該湾曲部の凹曲側の編目が開く事を防止できる。
【００１０】
請求項２および４に記載の発明によれば、編組スリーブは、その拡径性開口側からその縮径性開口側に向けてしごかれるので、編組スリーブを良好に収縮させる事ができる。
【発明を実施するための最良の形態】
【００１１】
この実施の形態に係る編組スリーブ付き電線１は、図１の様に、１本以上（図１では２本）の電線３と、電線３に外装された編組スリーブ５とを備える。
【００１２】
電線３は、図示省略されるが、例えば、内部導体と、前記内部導体を被覆する絶縁層と、前記絶縁層を被覆する金属編組と、前記金属編組を被覆する外被とを備えて構成される。
【００１３】
編組スリーブ５は、例えば周知の編組機で編み組まれた金属性で筒状のものが用いられる。この編組スリーブ５は、電線３の外周に被された状態で、電線３に沿ってその一端開口側からその他端開口側に向けてしごかれることにより収縮されて、電線３に外装される。
【００１４】
次に、この編組スリーブ付き電線１の製造方法（即ち電線３への編組スリーブ５の外装方法）を説明する。まず、編組スリーブ５および電線３を準備する。そして、電線３の外周に編組スリーブ５を被せ（即ち編組スリーブ５内に電線３を挿入配置させ）、その状態で、編組スリーブ５を、電線３に沿ってその一端開口側からその他端口側に向けてしごく（即ち、例えば手または適宜部材により編組スリーブ５を部分的にその上下あるいは全周から挟み締め付けながら、当該手または適宜部材を編組スリーブ５の一端開口側からその他端開口側に向けて移動させて行く）ことにより収縮させて、電線３に外装させる。その際、編組スリーブ５は、その拡径性開口側からその縮径性開口側に向けてしごかれる事が望ましい。この様にして電線３を編組スリーブ５に外装する。
【００１５】
以上の様に構成された編組スリーブ付き電線１によれば、編組スリーブ５は、電線３の外周に被された状態で、電線３に沿ってその一端開口側からその他端開口側に向けてしごかれることにより収縮されて、電線３に外装されるので、（１）編組スリーブ５を電線３に密着させる事ができると共に、（２）編組スリーブ５の編目を詰めた状態にでき、これにより湾曲時に当該湾曲部の凹曲側の編目が開く事を防止できる。
【００１６】
また、編組スリーブ５は、その拡径性開口側からその縮径性開口側に向けてしごかれるので、編組スリーブ５を良好に収縮させる事ができる。これは、編組スリーブ５は一般には編組機で編み組まれており、その様に編組機で編み組まれた編組スリーブ５は、その途中で切断すると、その一方の切断開口はその口径が自然に拡がろうとする性質（拡径性開口）を持ち、その他方の切断開口はその口径が自然に縮まろうとする性質を持つ（縮径性開口）。そのため、編組スリーブ５は必ず、その一端開口が拡径性開口となりその他端開口が縮径性開口となる。そして、この様な性質の下では、編組スリーブ５は、その縮径性開口側からその拡径性開口側に向けてしごくよりも、その拡径性開口側からその縮径性開口側に向けてしごく方が収縮性が良い事が本発明の発明者により見出されている。上記の効果はこの性質を利用したものである。
【産業上の利用可能性】
【００１７】
本願発明に係る同軸電線は、産業上の編組スリーブを用いるシールド電線や自動車のワイヤーハーネスやコンピュータやオーディオ等のシールド対策の必要なあらゆる電線に利用可能である。
【図面の簡単な説明】
【００１８】
【図１】本発明の実施の形態に係る編組スリーブ付き電線１の平面視の写真図である。
【図２】従来の編組スリーブ付き電線を湾曲させた際の当該湾曲部をその凸曲側から見た写真図である。
【図３】従来の編組スリーブ付き電線を湾曲させた際の当該湾曲部をその凹曲側から見た写真図である。
【符号の説明】
【００１９】
１  編組スリーブ付き電線
３  電線
５  編組スリーブ
【図１】
2006324166.tif 000003
【図２】
2006324166.tif 000004
【図３】
2006324166.tif 000005